(57)【要約】【課題】現像トナー供給部交換時の安全性、取り扱い性を高め、かつ、確実に現像トナー供給装置の入れ替えが行える印刷装置を提供する。【解決手段】排紙機構から遠い位置に配置され単独で両面印刷可能な第一印刷装置と、前記排紙機構から近い位置に配置され単独で両面印刷可能な第二印刷装置と、前記第一印刷部で印刷した用紙を前記第二印刷部へ反転して送ることが可能な搬送部とを備え、前記第一印刷装置と前記第二印刷装置は、夫々が用紙搬送手段と電子写真方式の印刷部とを有し、前記夫々の用紙搬送手段は用紙を単独で印刷部へ搬送可能であり、前記第一印刷部で印刷した用紙を前記第二印刷部においても印刷可能であるとともに、前記夫々の印刷部は現像部とトナー供給部を有している電子写真印刷装置において、前記現像部と前記トナー供給部は、個別に交換可能に構成するとともに、夫々が使用履歴やトナー色等のデータを個別に記憶できるように構成した。【選択図】図１
2004258574.tif 000002
【特許請求の範囲】
【請求項１】
排紙機構から遠い位置に配置され単独で両面印刷可能な第一印刷装置と、前記排紙機構から近い位置に配置され単独で両面印刷可能な第二印刷装置と、前記第一印刷部で印刷した用紙を前記第二印刷部へ反転して送ることが可能な搬送部とを備え、前記第一印刷装置と前記第二印刷装置は、夫々が用紙搬送手段と電子写真方式の印刷部とを有し、前記夫々の用紙搬送手段は用紙を単独で印刷部へ搬送可能であり、前記第一印刷部で印刷した用紙を前記第二印刷部においても印刷可能であるとともに、前記夫々の印刷部は現像部とトナー供給部を有している電子写真印刷装置において、前記現像部と前記トナー供給部は、個別に交換可能に構成するとともに、夫々が使用履歴やトナー色等のデータを個別に記憶できるように構成したことを特徴とする電子写真印刷装置。
【請求項２】
前記夫々の現像部とトナー供給部は、個別の認識用メモリ基板を搭載していることを特徴とする、請求項１に記載の電子写真印刷装置。
【請求項３】
コントローラ側から指示された色情報等と異なる前記現像部又はトナー供給部を搭載した場合、エラーメッセージを表示できるようにしたことを特徴とする請求項１に記載の電子写真印刷装置。
【請求項４】
前記夫々の印刷部に搭載される現像部の色情報とトナー供給部の色情報に食い違いが発生した場合は、エラーメッセージを発生するようにしたことを特徴とする請求項１に記載の電子写真印刷装置。
【発明の詳細な説明】
【０００１】
【発明の属する技術分野】
本発明は、電子写真印刷装置に関するものである。
【０００２】
【従来の技術】
図２に、従来の二成分現像方式の電子写真印刷装置の概略構成を示す。図２において、用紙１８は、第一印刷装置１ａの給紙部２ａより供給され、用紙搬送部３ａを通り、第一印刷部４ａにて印刷される。第一印刷部４ａにて印刷された用紙１８は、中継搬送部１４を通って第二印刷装置１ｂへ搬送され、用紙搬送部３ｂを通り第二印刷部４ｂにて印刷されたのち、排紙部１５に排出される構成である。また、第二印刷装置１ｂも給紙部２ｂを備え、かつ、第一印刷装置１ａ及び、第二印刷装置１ｂは、夫々用紙反転部５ａ、及び用紙反転部５ｂを備えており、夫々単独での両面印刷が可能である。第一印刷部４ａ、および第二印刷部４ｂは、夫々、現像部へトナーを供給するためのトナー供給部と、画像担持体８ａ、８ｂにトナーを現像する現像部が一体となった第一現像トナー供給部６ａ、第二現像トナー供給部６ｂを有している。第一現像トナー供給部６ａ、第二現像トナー供給部６ｂは使用履歴やトナー色等のデータを個別に記憶するためのメモリ基板７ａ、７ｂを搭載しており、印刷装置に装着されると自動的に印刷装置内部の処理装置１６によって、メモリ基板に記憶された使用履歴やトナー色等のデータを読みとるようになっている。上記現像部、及びトナー供給部６ａ、６ｂは、取り外し可能になっている。また、第一現像トナー供給部６ａ、第二現像トナー供給部６ｂは夫々、必要なトナー、現像剤の色に応じた現像剤トナー供給部と交換することで、必要な色で印刷することができる。操作者が夫々の印刷装置の色を替える場合は、印刷装置から現像トナー供給部を取り外し、別に用意された現像トナー供給部を夫々の印刷装置に装着する。
【０００３】
一方、従来の一成分現像方式の電子写真装置においても、印刷部が一体となったユニットを交換する方式が一般的である（例えば、特許文献１参照。）。
【特許文献１】
特開２００１−２９６７１９号公報（第６頁、図１）
【０００４】
【発明が解決しようとする課題】
上記した前者の従来技術においては、現像トナー供給部は、現像部とトナー供給部が一体であるために重く、交換作業時に危険が伴うことと、大型であるために装置が故障したときの部品の交換作業性が悪いという欠点がある。また、後者の従来技術においては、ページコストが高くなるという欠点がある。
【０００５】
本発明は、現像トナー供給部が交換可能な電子写真印刷装置に於いて、現像トナー供給部交換時の安全性、取り扱い性を高め、かつ、確実に現像トナー供給装置の入れ替えが行える印刷装置を提供することを目的とする。
【０００６】
【課題を解決するための手段】
上記の目的は、排紙機構から遠い位置に配置され単独で両面印刷可能な第一印刷装置と、前記排紙機構から近い位置に配置され単独で両面印刷可能な第二印刷装置と、前記第一印刷部で印刷した用紙を前記第二印刷部へ反転して送ることが可能な搬送部とを備え、前記第一印刷装置と前記第二印刷装置は、夫々が用紙搬送手段と電子写真方式の印刷部とを有し、前記夫々の用紙搬送手段は用紙を単独で印刷部へ搬送可能であり、前記第一印刷部で印刷した用紙を前記第二印刷部においても印刷可能であるとともに、前記夫々の印刷部は現像部とトナー供給部を有している電子写真印刷装置において、前記現像部と前記トナー供給部は、個別に交換可能に構成するとともに、夫々が使用履歴やトナー色等のデータを個別に記憶できるように構成することによって達成される。
【０００７】
【発明の実施の形態】
以下、本発明の一実施例を図１に基づいて具体的に説明する。
【０００８】
本発明の一実施例に基づく電子写真印刷装置を図１に示す。本発明は、上記した図２の従来技術の電子写真印刷装置の構成に加え、第一トナー供給部９ａ、第一現像部１０ａ、及び第二トナー供給部９ｂ、第二現像部１０ｂは、夫々トナーフィードローラ１１ａ、１１ｂ下部で上下に分割され、個別に取り外しできる構成となっている。従来技術では、現像部とトナー供給部は一体であるため一つの現像トナー供給部に一つのメモリ基板を搭載していたが、本発明のように現像部とトナー供給部が個別に取り外しできる構成とした場合、現像部とトナー供給部が誤った組み合わせで使用されてしまう可能性があるので、本発明では、第一トナー供給部９ａ、第一現像部１０ａ、第二トナー供給部９ｂ、第二現像部１０ｂは、個々に使用履歴やトナー色等の情報を記憶させておくためのメモリ基板１２ａ、１３ａ、１２ｂ、１３ｂを、夫々搭載している。これによって、もし間違った組み合わせで現像部とトナー供給部が印刷装置に装着されても、印刷装置内部の処理装置１６が夫々のメモリ基板に記憶されている情報を自動的に読みとり、色情報や装置情報に間違いがあると認識し、印刷を開始せずにエラーメッセージを発生させることができる。このようにして、従来技術の機能を低下させずに、トナー供給部と現像部を個別に取り外せるようにした。また、コントローラ１７側から指示された色情報と異なる現像部、もしくは、トナー供給部を搭載している場合もエラーメッセージを発生し、装置を停止させることが可能である。
【０００９】
なお、図１において、図２と同じ部分は同じ符号で示し、具体的な説明は省略してある。
【００１０】
【発明の効果】
本発明によれば、操作者が、現像部、及びトナー供給部を個別に交換できるようにしたことにより、容易かつ安全に交換作業等を行うことが可能である。
【図面の簡単な説明】
【図１】本発明に係る電子写真装置の一実施例を示す構造図である。
【図２】従来の電子写真装置の構造を示す説明図である。
【符号の説明】
１ａは第一印刷装置、１ｂは第二印刷装置、２ａ、２ｂは給紙部、３ａ、３ｂは用紙搬送部、４ａは第一印刷部、４ｂは第二印刷部、５ａ、５ｂは用紙反転部、６ａは第一現像トナー供給部、６ｂは第二現像トナー供給部、７ａ、７ｂはメモリ基板、８ａ、８ｂは画像担持体、９ａは第一トナー供給部、９ｂは第二トナー供給部、１０ａは第一現像部、１０ｂは第二現像部、１１ａ、１１ｂはトナーフィードローラ、１２ａ、１２ｂはメモリ基板、１３ａ、１３ｂはメモリ基板、１４は中継搬送部、１５は排紙部、１６は処理装置、１７はコントローラ、１８は用紙である。
【図１】
2004258574.tif 000003
【図２】
2004258574.tif 000004